(57)【要約】【課題】  簡単な操作で表示画面の拡大縮小を行うことができる携帯端末および表示画面に対する拡大縮小方法を提供することを目的とする。【解決手段】  本実施形態の携帯端末１００において、タッチパネル制御部１０３が、タッチパネルディスプレイ１０１に対するタッチ操作を検出し、その後、クリック監視部１０４がタッチ操作からクリック操作への一連の操作を検出すると、拡大・縮小指示部１０５が、拡大縮小の処理実行の判断を行い、描画制御部１０６は、タッチパネルディスプレイ１０１に表示されている表示画面を拡大または縮小する。【選択図】  図３
2013210734.tif 000002
【特許請求の範囲】
【請求項１】
タッチ面からクリック操作を受け付けるクリック機構を有するタッチパネルディスプレイと、
前記タッチパネルディスプレイを介したタッチ操作を検出するタッチパネル制御手段と、
前記タッチパネル制御手段によりタッチ操作が検出され、その後クリック操作への一連の操作を検出するクリック検出手段と、
前記クリック検出手段により、タッチ操作からクリック操作への一連の操作が検出されると、前記タッチパネルディスプレイに表示されている表示画面を拡大または縮小して、前記タッチパネルディスプレイに表示させる画像処理手段と、
を備える携帯端末。
【請求項２】
前記クリック検出手段は、
タッチ操作からクリック操作への一連の操作におけるクリック操作によるクリック機構の押下状態が継続していることを検出し、
前記画像処理手段は、
前記タッチパネル制御手段においてクリック機構の押下状態の継続時間に応じて、拡大または縮小を行う
ことを特徴とする請求項１に記載の携帯端末。
【請求項３】
前記タッチパネル制御手段は、
前記タッチパネルディスプレイに対してタッチ操作されたタッチ位置を検出し、
前記画像処理手段は、
前記タッチ位置を中心にして拡大または縮小を行う
ことを特徴とする請求項１または２に記載の携帯端末。
【請求項４】
前記画像処理手段による拡大または縮小のいずれかの処理を行ったか、その処理種別を示す状態情報を記憶する状態管理手段と、をさらに備え、
前記クリック検出手段により、再度、タッチ操作からクリック操作への一連の操作におけるクリック操作によるクリック機構の押下状態が検出されると、前記画像処理手段は、前記状態管理手段に記憶された状態情報とは逆の処理を行う
ことを特徴とする請求項１から３のいずれか一項に記載の携帯端末。
【請求項５】
前記画像処理手段は、
前記クリック検出手段により、前記クリック操作のクリック回数を変えた、クリック機構の押下状態が検出されると、前記状態管理手段に記憶された状態情報および拡大率をリセットする、
ことを特徴とする請求項４に記載の携帯端末。
【請求項６】
タッチ面からクリック操作を受け付けるクリック機構を有するタッチパネルディスプレイを備える携帯端末の表示画面に対する拡大縮小方法において、
前記タッチパネルディスプレイを介したタッチ操作を検出するタッチパネル制御ステップと、
前記タッチパネル制御ステップによりタッチ操作が検出され、その後クリック操作への一連の操作を検出するクリック検出ステップと、
前記クリック検出ステップにより、タッチ操作からクリック操作への一連の操作が検出されると、前記タッチパネルディスプレイに表示されている表示画面を拡大または縮小して、前記タッチパネルディスプレイに表示させる画像処理ステップと、
を備える表示画面に対する拡大縮小方法。
【発明の詳細な説明】
【技術分野】
【０００１】
本発明は、タッチパネルディスプレイを用いた携帯端末および表示画面に対する拡大縮小方法に関する。
【背景技術】
【０００２】
近年スマートフォンの操作において、タッチパネルを指で操作する方法が主流となっている。そして、一般的にスマートフォンは画面が小さいため、その画面を拡大することを可能にしている。これら普及しているスマートフォンにおいては、一般に、ダブルタップやピンチアウトを行うことにより、画面を拡大することができる。なお、特許文献１に記載の技術においては、拡大・縮小などの画面操作を良好に行うために、携帯端末が両面にタッチパネルを備え、これを用いた操作についての記載がある。
【先行技術文献】
【特許文献】
【０００３】
【特許文献１】特開２００９−２２３４２６号公報
【発明の概要】
【発明が解決しようとする課題】
【０００４】
しかしながら、一般のスマートフォンなどの携帯端末においては、その画面が小さいため、以下のような不具合が生じる場合がある。
【０００５】
既存のＵＩ（User Interface）ではタッチパネルのダブルタップにて、画面の拡大・縮小操作が可能だが、拡大率はソフトウェア側で段階的に制御しており、意図した拡大率とするためには、ピンチイン・ピンチアウト操作が必要となり、片手での操作が容易に行えない場合がある。
【０００６】
さらに、ＰＣ向けのＷＥＢサイトなどで、リンク先を示す文字等が小さく、その文字等が密集している部分をタッチすると、意図しない個所を誤選択する可能性が有る。すなわち、従来におけるＵＩでは、ダブルタップ等によって拡大縮小を行っていたが、タッチパネル側でダブルタップを認識することができず、そのまま、リンク先のタップと誤認識されるということがあり、利便性が低下するという問題がある。
【０００７】
また、上述特許文献１に記載の技術においては、両面にタッチパネルを必要とし、その構成が複雑になるといった問題がある。さらに、二本の指を用いることになるため、その操作性はやはり良好とはいえない場合があり得る。
【０００８】
そこで、本発明においては、簡単な操作で表示画面の拡大縮小を行うことができる携帯端末および表示画面に対する拡大縮小方法を提供することを目的とする。
【課題を解決するための手段】
【０００９】
上述の課題を解決するために、本発明の携帯端末は、タッチ面からクリック操作を受け付けるクリック機構を有するタッチパネルディスプレイと、前記タッチパネルディスプレイを介したタッチ操作を検出するタッチパネル制御手段と、前記タッチパネル制御手段によりタッチ操作が検出され、その後クリック操作への一連の操作を検出するクリック検出手段と、前記クリック検出手段により、タッチ操作からクリック操作への一連の操作が検出されると、前記タッチパネルディスプレイに表示されている表示画面を拡大または縮小して、前記タッチパネルディスプレイに表示させる画像処理手段と、を備える。
【００１０】
また、本発明の表示画面に対する拡大縮小方法は、タッチ面からクリック操作を受け付けるクリック機構を有するタッチパネルディスプレイを備える携帯端末の表示画面に対する拡大縮小方法において、前記タッチパネルディスプレイを介したタッチ操作を検出するタッチパネル制御ステップと、前記タッチパネル制御ステップによりタッチ操作が検出され、その後クリック操作への一連の操作を検出するクリック検出ステップと、前記クリック検出ステップにより、タッチ操作からクリック操作への一連の操作が検出されると、前記タッチパネルディスプレイに表示されている表示画面を拡大または縮小して、前記タッチパネルディスプレイに表示させる画像処理ステップと、を備える。
【００１１】
この発明によれば、タッチパネルディスプレイにおいてタッチ操作が検出され、その後クリック操作への一連の操作を検出すると、タッチパネルディスプレイに表示されている表示画面を拡大または縮小する。これにより、簡単な操作で表示画面の拡大または縮小を行うことができる。従来においてはピンチアウトなど二本の指を用いて拡大または縮小を行っていたが、本発明によれば、一本の指でかつタッチ操作しながら拡大縮小を簡単に行うことができる。
【００１２】
また、本発明の携帯端末において、前記クリック検出手段は、タッチ操作からクリック操作への一連の操作におけるクリック操作によるクリック機構の押下状態が継続していることを検出し、前記画像処理手段は、前記タッチパネル制御手段においてクリック機構の押下状態の継続時間に応じて、拡大または縮小を行う。
【００１３】
この発明によれば、タッチ操作からクリック操作への一連の操作におけるクリック操作によるクリック機構の押下状態が継続していることを検出し、クリック機構の押下状態の継続時間に応じて、拡大または縮小を行う。これにより、クリック機構の押下状態に応じて連続的に拡大または縮小を行うことができ、従来ダブルタップなどによる拡大・縮小処理と比べて、任意の大きさに拡大または縮小することができる。
【００１４】
また、本発明の携帯端末において、前記タッチパネル制御手段は、前記タッチパネルディスプレイに対してタッチ操作されたタッチ位置を検出し、前記画像処理手段は、前記タッチ位置を中心にして拡大または縮小を行う。
【００１５】
この発明によれば、タッチパネルディスプレイに対してタッチ操作されたタッチ位置を検出し、タッチ位置を中心にして拡大または縮小を行うことで、ディスプレイの任意の位置において拡大縮小処理を行うことができる。
【００１６】
また、本発明の携帯端末において、前記画像処理手段による拡大または縮小のいずれかの処理を行ったか、その処理種別を示す状態情報を記憶する状態管理手段と、をさらに備え、前記クリック検出手段により、再度、タッチ操作からクリック操作への一連の操作におけるクリック操作によるクリック機構の押下状態が検出されると、前記画像処理手段は、前記状態管理手段に記憶された状態情報とは逆の処理を行う。
【００１７】
この発明によれば、拡大または縮小のいずれかの処理を行ったか、その状態情報を記憶しておき、再度、タッチ操作からクリック操作への一連の操作におけるクリック操作によるクリック機構の押下状態が検出されると、状態情報とは逆の処理を行う。これにより、拡大縮小を簡単に切り替えることができ、その操作性を向上させることができる。
【００１８】
また、本発明の携帯端末において、前記画像処理手段は、前記クリック検出手段により、前記クリック操作のクリック回数を変えた、クリック機構の押下状態が検出されると、前記状態管理手段に記憶された状態情報および拡大率をリセットする。
【００１９】
この発明によれば、クリック操作のクリック回数を変えた、クリック機構の押下状態が検出されると、その状態情報および拡大率をリセットすることで、簡単に初期状態に戻すことができ、表示画面の拡大縮小に関する一連の操作を簡単にすることができる。
【発明の効果】
【００２０】
本発明によれば、簡単な操作で表示画面の拡大または縮小を行うことができる。従来においてはピンチアウトなど二本の指を用いて拡大または縮小を行っていたが、本発明によれば、一本の指でかつタッチ操作しながら拡大縮小を簡単に行うことができる。
【図面の簡単な説明】
【００２１】
【図１】実施形態の携帯端末１００の外観を示す外観図である。
【図２】携帯端末１００のクリック機構を模式的に示した断面図である。
【図３】本実施形態の携帯端末１００の機能を示すブロック図である。
【図４】携帯端末１００のハードウェア構成図である。
【図５】各種テーブルの具体例を示す説明図である。
【図６】携帯端末１００の処理内容を示すフローチャートである。
【図７】拡大処理を示す説明図である。
【発明を実施するための形態】
【００２２】
添付図面を参照しながら本発明の実施形態を説明する。可能な場合には、同一の部分には同一の符号を付して、重複する説明を省略する。
【００２３】
図１は、本実施形態の携帯端末１００の外観を示す外観図である。図１に示されている通り、携帯端末１００には、タッチパネルディスプレイ１０１を備えている。そして、ユーザは、タッチパネルディスプレイ１０１に対してタッチ操作を行うことにより、携帯端末１００に対する操作を行うことができる。また、このタッチパネルディスプレイ１０１の下には、クリック機構が構成あされている。
【００２４】
図２は、そのクリック機構を模式的に示した断面図である。図２に示される通り、タッチパネルディスプレイ１０１の下には、クリック機構１０２が備えられている。このクリック機構１０２は、タッチパネルディスプレイ１０１の外周部に沿ってタッチパネルディスプレイ１０１を支える部材であって、タッチパネルディスプレイ１０１の押下に対して、クリック感をもって沈むように構成されたクリック部材である。そして、タッチパネルディスプレイ１０１の下方中央部に配置されているスイッチ１０２ａにタッチパネルディスプレイ１０１の接点が接触することにより、タッチパネルディスプレイ１０１の押下が検出されるように構成されている。なお、クリック感を出すための他の構成として、タクトスイッチや、メタルドームなどの部材を用いてもよい。
【００２５】
図３は、本実施形態の携帯端末１００の機能を示すブロック図である。図３に示されている通り、この携帯端末１００は、タッチパネルディスプレイ１０１、クリック機構１０２、タッチパネル制御部１０３（タッチパネル制御手段）、クリック監視部１０４（クリック検出手段）、拡大・縮小指示部１０５、描画制御部１０６（画像処理手段）、および状態管理部１０７（状態管理手段）を含んで構成されている。
【００２６】
図４は、携帯端末１００のハードウェア構成図である。図３に示される携帯端末１００は、物理的には、図４に示すように、ＣＰＵ１１、主記憶装置であるＲＡＭ１２及びＲＯＭ１３、入力デバイスであるキーボード及びマウス等の入力装置１４、ディスプレイ等の出力装置１５、ネットワークカード等のデータ送受信デバイスである通信モジュール１６、半導体メモリ等の補助記憶装置１７などを含むコンピュータシステムとして構成されている。図３において説明した各機能は、図４に示すＣＰＵ１１、ＲＡＭ１２等のハードウェア上に所定のコンピュータソフトウェアを読み込ませることにより、ＣＰＵ１１の制御のもとで入力装置１４、出力装置１５、通信モジュール１６を動作させるとともに、ＲＡＭ１２や補助記憶装置１７におけるデータの読み出し及び書き込みを行うことで実現される。以下、図３に示す機能ブロックに基づいて、各機能ブロックを説明する。
【００２７】
タッチパネルディスプレイ１０１は、そのタッチ面において、ユーザからのタッチ操作を受け付けるとともに、ネットワークを介して取得したウェブ画面や、装置内部に保持されている写真データ等の表示画面を表示する部分である。
【００２８】
クリック機構１０２は、タッチパネルディスプレイ１０１の下に配置される機構部分であって、タッチパネルディスプレイ１０１に対してユーザによる押下操作を検出する部分である。具体的な構成は、たとえば図２に示されるものである。
【００２９】
タッチパネル制御部１０３は、タッチパネルディスプレイ１０１において受け付けられたタッチ操作に対する制御を行う部分である。例えば、タッチ操作が、タップであるか、ドラッグであるかなどに応じて、その制御を行う部分である。本実施形態では、このタッチパネル制御部１０３は、タッチパネルディスプレイ１０１は、上述のタップやドラッグなどとのタッチ操作の検出を行うとともに、そのタッチ位置を検出する。
【００３０】
クリック監視部１０４は、クリック機構１０２においてクリックされたことを検出する部分である。図２においては、タッチパネルディスプレイ１０１の接点と、基盤１０４ａにおけるスイッチ１０２ａとが接触したことを検出する部分である。
【００３１】
拡大・縮小指示部１０５は、クリック監視部１０４における検出結果（クリックの有無）およびタッチパネル制御部１０３から出力されたタッチパネルディスプレイ１０１のタッチ位置に基づいて、タッチパネルディスプレイ１０１に表示されている表示画面の拡大または縮小処理のいずれかを行うか指示を示す指示情報と、その拡大縮小の中心位置となるタッチ位置とを描画制御部１０６に出力する部分である。すなわち、拡大・縮小指示部１０５は、タッチパネルディスプレイ１０１に対するタッチ操作およびその後のクリック操作がなされたことを、タッチパネル制御部１０３およびクリック監視部１０４から出力され、それらに基づいて拡大または縮小の処理の指示を行う。
【００３２】
さらに、その指示を行うに際して、拡大・縮小指示部１０５は、これらタッチ操作およびクリック操作、および状態管理部１０７の操作種別データパターンテーブル１０７ａに記憶されている状態情報に基づいて、拡大または縮小のいずれの処理を実行するか判断する。例えば、状態情報として“拡大”が記憶されている場合には、操作指示切替テーブル１０５ｂに従って、縮小処理を行うと判断する。
【００３３】
また、この拡大・縮小指示部１０５は、クリック機構データパターンテーブル１０５ａおよび操作指示切替テーブル１０５ｂを有する。クリック機構データパターンテーブル１０５ａは、図５（ａ）に示されるように、クリック機構の状態（押下状態および非押下状態）に応じて、拡大・縮小の処理の開始を定義づけたものである。図５（ａ）で示す通り、クリック機構データパターンテーブル１０５ａは、クリック機構の状態、クリック情報、および拡大・縮小操作の開始・終了情報を対応付けて記憶している。クリック機構の状態とは、クリック機構が押下状態であるか、非押下状態であるかを示す情報であり、クリック情報は、オン・オフを示し、拡大縮小操作の開始・終了情報は、拡大縮小の開始およびその終了を示す情報である。例えば、図５（ａ）においては、たとえば、クリック機構が押下状態であるということは、クリック情報がオンとし、その場合、拡大・縮小の開始を行うことを定義づけている。すなわち、タッチパネルディスプレイ１０１をユーザがクリックすると、拡大または縮小処理を開始することを示している。
【００３４】
操作指示切替テーブル１０５ｂは、状態管理部１０７の操作種別データパターンテーブル１０７ａにおいて記憶されている情報と、拡大・縮小指示部１０５から出力する情報との対応付けをとるテーブルである。ここでは、状態管理部１０７において記憶している情報が“拡大”である場合に、拡大・縮小指示部１０５から出力すべき情報は“縮小”とすることを示している。
【００３５】
描画制御部１０６は、拡大・縮小指示部１０５から出力された“拡大”または“縮小”のいずれかの指示情報およびタッチパネルディスプレイ１０１におけるタッチ位置に基づいて、タッチパネルディスプレイ１０１に表示されている表示画面を、タッチ位置を中心として拡大または縮小処理を行う部分である。そして、拡大または縮小処理が施された表示画面をタッチパネルディスプレイ１０１に出力して、タッチパネルディスプレイ１０１に拡大または縮小された表示画面を表示させる。
【００３６】
状態管理部１０７は、操作種別データパターンテーブル１０７ａを有し、直近に押下操作したことによりなされた操作種別情報（拡大または縮小）を記憶する部分である。携帯端末１００は、この状態管理部１０７を利用して、ユーザがクリック機構１０２に対してクリックするごとに、その拡大・縮小を切り替えることができる。すなわち、拡大・縮小指示部１０５は、この状態管理部１０７（操作種別データパターンテーブル１０７ａ）を参照することにより、その拡大・縮小を切り替えることができる。
【００３７】
図５（ｃ）は、操作種別データパターンテーブル１０７ａの具体例を示す説明図である。操作種別データパターンテーブル１０７ａは、操作種別と状態管理部１０７で保持する操作種別情報とを対応付けて記憶する。なお、初期状態など拡大縮小操作が未実施である場合には、状態管理部１０７においては、その状態として“縮小”が記憶されている。
【００３８】
つぎに、このように構成された携帯端末１００の処理について説明する。図６は、携帯端末１００の処理内容を示すフローチャートである。
【００３９】
まず、ウエブブラウザが起動されると、拡大・縮小指示部１０５により、状態管理部１０７の操作種別データパターンテーブル１０７ａの操作種別情報が初期化される（Ｓ１１）。そして、ユーザによりタッチパネルディスプレイ１０１に対する操作が、タッチパネル制御部１０３により、判断される（Ｓ１２）。ここで、タップ、スライド、ピンチ等が行われると、それらあらかじめ定められた機能が、拡大・縮小指示部１０５または制御部（図示せず）により実行される。例えば、リンク選択、スクロール、画面拡大・縮小処理などが実行される。
【００４０】
また、クリック監視部１０４により、シングルクリック操作（一回だけのクリック）なされたと判断されると、タッチパネル制御部１０３により、タッチパネルの押下点の座標が取得される（Ｓ１３）。そして、拡大・縮小指示部１０５により、操作種別データパターンテーブル１０７ａにおける、前回押下時の操作種別情報が参照される（Ｓ１４）。ここで、拡大・縮小指示部１０５により、前回押下時の操作種別情報が“縮小”である判断されると、タッチ位置と拡大指示とが描画制御部１０６に出力され、描画制御部１０６により、画面拡大率が、たとえば１０％インクリメントされる（Ｓ１５）。そして、描画制御部１０６により、タッチ位置を中心に、表示画面が拡大処理され、拡大画面がタッチパネルディスプレイ１０１に表示される（Ｓ１６）。
【００４１】
つぎに、クリック監視部１０４により、押下状態の解除チェックが行われる（Ｓ１７）。ここでは、拡大・縮小指示部１０５により、クリック機構１０２が押下状態であるか否かが判断される。そして、拡大・縮小指示部１０５により、継続して押下状態であると判断されると、拡大指示がその継続状態に応じて出力され、描画制御部１０６においては、その画面拡大率はインクリメントされ続け、画面の拡大処理が段階的に行われる（Ｓ１５，Ｓ１６）。
【００４２】
また、押下状態が解除されたとクリック監視部１０４により検出されると、画面拡大率は固定され（Ｓ１８）、押下時の操作種別は“拡大”として、操作種別データパターンテーブル１０７ａに記憶される（Ｓ１９）。
【００４３】
また、Ｓ１４において、拡大・縮小指示部１０５により、前回押下時の操作種別情報が“拡大”である判断されると、タッチ位置と縮小指示が描画制御部１０６に出力され、描画制御部１０６により、画面拡大率が、たとえば１０％デクリメントされる（Ｓ２０）。そして、描画制御部１０６により、タッチ位置を中心に、表示画面が縮小処理され、縮小画面がタッチパネルディスプレイ１０１に表示される（Ｓ２１）。
【００４４】
つぎに、クリック監視部１０４により、押下状態の解除チェックが行われる（Ｓ２２）。ここでは、クリック機構１０２が押下状態であるか否かが判断される。そして、拡大・縮小指示部１０５により、継続して押下状態であると判断されると、拡大指示がその継続状態に応じて出力され、描画制御部１０６においては、その画面拡大率はデクリメントされ続け、画面の縮小処理が段階的に行われる（Ｓ２０、Ｓ２１）。
【００４５】
また、押下状態が解除されたとクリック監視部１０４により検出されると、画面拡大率は固定され（Ｓ２３）、押下時の操作種別情報は“縮小”として、操作種別データパターンテーブル１０７ａに記憶される（Ｓ２４）。
【００４６】
また、Ｓ１２において、クリック監視部１０４により、ここでダブルクリック操作なされると判断されると、タッチパネル制御部１０３により、タッチパネルディスプレイ１０１の押下点の座標が取得され（Ｓ２５）、拡大・縮小指示部１０５により、拡大率が初期値に変更される（Ｓ２６）。そして、拡大または縮小処理がリセットされた状態となり、描画制御部１０６により、タッチパネルディスプレイ１０１に、タッチ位置を中心に初期状態の拡大率で画面が表示される（Ｓ２７）。そして、拡大・縮小指示部１０５により、状態管理部１０７の操作種別データパターンテーブル１０７ａの状態情報が初期化される（Ｓ２８）。
【００４７】
そして、ブラウザの終了操作が行われるまで、これら処理が繰り返される（Ｓ２９）このようにして、クリック機構１０２およびクリック監視部１０４を利用して、タッチパネルディスプレイ１０１を利用した、表示画面の拡大・縮小処理を簡単に行うことができる。
【００４８】
図７は、その拡大処理を示す説明図である。図７（ａ）は、ブラウザの標準サイズの画面を示している。ユーザが、たとえば、“リンク３”と表示されている部分にタッチしながら、クリック操作をしたとすると、図７（ｂ）に示されるように描画制御部１０６による拡大処理が行われる。そして、指を離したとしても、図７（ｃ）のとおり、拡大された画面が表示される。
【００４９】
つぎに、本実施形態の携帯端末１００の作用効果について説明する。本実施形態の携帯端末１００において、タッチパネル制御部１０３が、タッチパネルディスプレイ１０１に対するタッチ操作を検出し、その後、クリック監視部１０４がタッチ操作からクリック操作への一連の操作を検出すると、拡大・縮小指示部１０５が、拡大縮小の処理実行の判断を行い、描画制御部１０６は、タッチパネルディスプレイ１０１に表示されている表示画面を拡大または縮小する。これにより、簡単な操作で表示画面の拡大または縮小を行うことができる。従来においてはピンチアウトなど二本の指を用いて拡大または縮小を行っていたが、本発明によれば、一本の指でかつタッチ操作しながら拡大縮小を簡単に行うことができる。
【００５０】
また、この携帯端末１００において、拡大・縮小指示部１０５は、タッチ操作からクリック操作への一連の操作におけるクリック操作によるクリック機構の押下状態が継続していることを検出し、クリック機構の押下状態の継続時間に応じて、拡大または縮小を行う。これにより、クリック機構の押下状態に応じて連続的に拡大または縮小を行うことができ、従来ダブルタップなどによる拡大・縮小処理と比べて、任意の大きさに拡大または縮小することができる。
【００５１】
また、この携帯端末１００において、拡大・縮小指示部１０５は、タッチパネルディスプレイ１０１に対してタッチ操作されたタッチ位置を検出し、描画制御部１０６が、そのタッチ位置を中心にして拡大または縮小を行うことで、ディスプレイの任意の位置において拡大縮小処理を行うことができる。
【００５２】
また、この携帯端末１００において、状態管理部１０７は、拡大または縮小のいずれかの処理を行ったか、その処理種別を示す状態情報を記憶しておく。そして、再度、タッチパネル制御部１０３およびクリック監視部１０４において、タッチ操作からクリック操作への一連の操作におけるクリック機構１０２の押下状態が検出されると、拡大・縮小指示部１０５は、状態管理部１０７に記憶された状態情報とは逆の処理を行うよう指示情報を描画制御部１０６に出力する。これにより、拡大縮小を簡単に切り替えることができ、その操作性を向上させることができる。
【００５３】
また、この携帯端末１００において、クリック監視部１０４により、クリック操作のクリック回数を変えた、クリック機構の押下状態、たとえばダブルクリックなどが検出されると、拡大・縮小指示部１０５は、状態管理部１０７の操作種別データパターンテーブル１０７ａに記述されている状態情報および拡大率をリセットすることで、簡単に初期状態に戻すことができ、表示画面の拡大縮小に関する一連の操作を簡単にすることができる。
【００５４】
なお、携帯端末１００の構成および処理についてクリック操作は、シングルクリックを想定して説明したが、これに限るものではなく、ダブルクリックなどのそのクリック回数を変えたものとしてもよい。また、状態情報等をリセットすることのトリガーとしてダブルクリックとしたが、拡大・縮小のためのクリック操作を区別できればよく、たとえば、拡大・縮小のためのクリック操作をダブルクリックとした場合には、リセット操作は、シングルクリックとしてもよい。
【符号の説明】
【００５５】
１００…携帯端末、１０１…タッチパネルディスプレイ、１０２…クリック機構、１０２ａ…スイッチ、１０３…タッチパネル制御部、１０４…クリック監視部、１０４ａ…基盤、１０５…拡大・縮小指示部、１０５ａ…クリック機構データパターンテーブル、１０５ｂ…操作指示切替テーブル、１０６…描画制御部、１０７…状態管理部、１０７ａ…操作種別データパターンテーブル。
【図１】
2013210734.tif 000003
【図２】
2013210734.tif 000004
【図３】
2013210734.tif 000005
【図４】
2013210734.tif 000006
【図５】
2013210734.tif 000007
【図６】
2013210734.tif 000008
【図７】
2013210734.tif 000009